(57)【要約】【課題】  骨壷収納棚の引き出しの構造を提供する。【解決手段】  骨壷収納棚の引き出し体３の相互に隣り合った２枚の外周壁に鳩尾台３０を突出形成し、他の相互に隣り合った２枚の外周壁上に鳩尾溝３１を形成する。２個の隣接する引き出し同士をこれらの鳩尾台と鳩尾溝の嵌合により結合し、多数の引き出しを組み合わせることができる。該引き出し体の後端角上の相互に隣り合う位置に定位挿入ピン４を嵌合するL型の嵌溝３４を形成し、該定位挿入ピンは、工字型に形成し、その４個の端部の頂、底面には嵌体４１を突出形成して、該引き出し体の嵌溝内に嵌合固定することにより、これらの結合された引き出し同士の後端部を結合し、固設部品４２により固定する。引き出し体の相対する２枚の内側壁にはクッション作用をする定位部品を設けて、引き出し内の骨壷を支持する。【選択図】  図  ３
2007037865.tif 000002
【特許請求の範囲】
【請求項１】
引き出し体、定位挿入ピンからなり、
該引き出し体は、その相互に隣り合った２枚の外周壁上に鳩尾台を突出形成し、他の相互に隣り合った２枚の周囲壁上に鳩尾溝を形成し、該引き出し体の後端角上に相互に隣り合ってL型の嵌溝を設けると共に該嵌溝内には螺孔を設け、さらに該引き出し体の背面には穿孔と凸柱を設けてなり、
該定位挿入ピンは、上記の相対する引き出し体の後端部に嵌合固定するものであって、工字型に形成し、その４個の端部の頂、底面にはすべて該引き出し体の嵌溝内に嵌合する嵌体を突出形成し、該定位挿入ピン上方の４個の端部にはそれぞれ穿孔を設けて、固接部品を該定位挿入ピンの穿孔内に挿通して該引き出し体の螺孔上に螺合するようにしてなることを特徴とする骨壷収容棚の引き出しの構造。
【請求項２】
引き出し体の左右両内側壁には定位部品を設置し、該２個の定位部品は軟性材質により成型し、２個の定位部品の厚みは手前に向けて徐々に広くなる覆包サポート面を設置し、該定位部品の背面は平坦な密着面を呈し、該引き出し体の内壁にはクッション体を設置したことを特徴とする請求項1記載の骨壷収容棚の引き出しの構造。
【請求項３】
前記引き出し体の両内側壁には鳩尾台を設けると共に前記定位部品の背面には鳩尾溝を設けて、前記引き出し体の鳩尾台と嵌合せしめることを特徴とする請求項２記載の骨壷収容棚の引き出しの構造。
【発明の詳細な説明】
【技術分野】
【０００１】
本発明は骨壷収容棚の引き出しの構造に関する。特に一種の引き出し体の相互に隣り合った２枚の外周壁に鳩尾台クッションを突出設置し、別に相互に隣り合った２枚の周囲壁上に鳩尾溝を形成し、引き出し体の後端角上に相互に隣り合って設置したL型の嵌溝、定位挿入ピンは相対する引き出し体の後端部に挿設し、定位挿入ピンは工字型に設置し、定位挿入ピンの４個の端部の頂、底面には嵌体を突出設置し、引き出し体の嵌溝内に挿設し、引き出し体の相対する２枚の内側壁には定位部品を設置し、該定位部品は軟性材質により手の５本の指を合わせたような覆包状に成型し、２個の定位部品の相対する面には外から内に向かい厚みが徐々に縮小する覆包サポート面を設置し、こうして、定位挿入ピンの挿接により、相互に対応し接続し、及び背面が向かい合い合する引き出し体は安定的かつ堅固に組み合わされ接続し、大面積の組合せ引き出しを形成し、組み立ては極めて便利で、スピーディーかつ安定的で、かつ安定的に骨壷を引き出し体内に定位し、骨壷は引き出し体内で揺動せず、傾倒或いは破損の恐れがない引き出しの構造に係る。
【背景技術】
【０００２】
一般の骨壷収容棚の引き出しの多くは各板体10（底板、左側板、右側板、頂板及び背板）を相対させて接着固定し、或いは釘により合せて固定した引き出し体1を形成する。だが、大面積の骨壷収納用引き出し（図１参照）を接続、組み合わせようとすると、該各引き出し体1を積み重ね合わせ、さらにコの字型嵌合クリップ11により２枚の板体10の密着位置の四周を嵌合し、組み合わせ接続を完成させる。
しかし、この種のコの字型嵌クリップ11により嵌合組み合わせ接続する収納用引き出しは衝撃を受け揺動すると、該引き出し体1が前方のみの嵌合組み合わせ接続で、その後方には一切の強固な固定構造はないため、該コの字型嵌クリップ11は容易に脱落し、該収納用引き出しは安定的に保持されず、該コの字型嵌クリップ11が脱落することにより該引き出し体1 落下の状況が発生し、非常に危険である。しかも、２個の相互に背中合わせの引き出し体1を定位しようとする時には、普通は固接部品12により該引き出し体1の２枚の相互に背中合わせの背板体10を相互に螺合固接し、その組み合わせ接続の安定性を増強する。しかし、この種の組み合わせ接続方式は、非常に時間がかかり、面倒である。
さらに、一般の骨壷の収納用引き出し2は図２に示すように、主に引き出し体20を含む。該引き出し体20内には収納室21を設置し、骨壷22を該引き出し体20の収納室21内に収容し、さらにパネル23を該引き出し体20前に蓋設し、該骨壷22を該引き出し体20内に收納する。しかし、公知の収納用引き出し2内には骨壷22を定位する構造設計がないため、地震に遭遇或いは引き出し体20が衝撃を受けた時には、その骨壷22は揺動、傾倒の恐れがある。さらには破損の状況さえ発生しかねず、故人に安住の地を提供することができない。
【特許文献１】特開２００２−２１３１０９号公報
【特許文献２】特開２００２−３８７６８号公報
【発明の開示】
【発明が解決しようとする課題】
【０００３】
公知構造には以下の欠点があった。
すなわち公知の骨壷収納用引き出しの多くは各板体を相対させ接着固定、或いは釘により合体して固定式の引き出し体を形成するが、大面積の収納用引き出しを組み合わせようとすると、該各引き出し体を積み重ね合わせ、さらにコの字型嵌合クリップにより２枚の板体の密着位置の四周を嵌合し、組み合わせ接続を完成させる必要がある。
しかし、この種の方式により接続する収納用引き出しは、前方のみの嵌合組み合わせ接続で、その後方には一切の強固な固定構造はないため、衝撃を受け揺動すると、該引き出し体落下の状況が発生し非常に危険で、しかも、該引き出し体を定位しようとする時には、固接部品により該引き出し体の２枚の相互に背中合わせの背板体を相互に螺合固接し、その組み合わせ接続の安定性を増強するが、この種の組み合わせ接続方式は、非常に時間がかかり、面倒である。
さらに、一般の骨壷の収納用引き出しは、引き出し体内の収納室に骨壷を収容するが、公知の収納用引き出し内には骨壷を定位する構造設計がないため、地震に遭遇或いは引き出し体が衝撃を受けた時には、骨壷は揺動、傾倒の恐れがあり、さらには破損の状況さえ発生しかねず、故人に安住の地を提供することができない。
本発明は上記構造の問題点を解決した引き出しの構造を提供するものである。
【課題を解決するための手段】
【０００４】
上記課題を解決するため、本発明は下記の引き出しの構造を提供する。
それは主に組み合わせ接続が便利で、安定的、かつ２個単位で相互に背中合わせに組み合わせ接続する大面積の引き出し体を形成可能で、骨壷を安定的に引き出し体内に定位することができ、極めて高い耐震、安全効果を具えた引き出しの構造を提供し、
それは、引き出し体の相互に隣り合った２枚の外周壁上に鳩尾台を突出形成し、別に相互に隣り合った２枚の周囲壁上に鳩尾溝を形成し、引き出し体の後端角上に相互に隣り合って設置したL型の嵌溝、及び該嵌溝内には螺孔を設け、引き出し体の背面には穿孔及び凸柱を設置し、
定位挿入ピンをこれらの相対する引き出し体の後端部の嵌溝に嵌合するものであって、該定位挿入ピンは、工字型に形成し、その４個の端部の頂、底面には嵌体を突出設置して該引き出し体の嵌溝内に嵌合する構造とし、該定位挿入ピン上方の４個の端部にはそれぞれ穿孔を設けて固接部品を該定位挿入ピンの穿孔内に穿設して該引き出し体の螺孔上に螺合することにより相互に固定し、
また、該引き出し体の左右両内側壁に定位部品を設置し、該２個の定位部品は軟性材質により成型してなり、２個の定位部品の厚みは手前に向けて徐々に広くして覆包サポート面を設置し、定位部品の背面は平坦な密着面を呈し、該引き出し体の内壁にはクッション体を設置することを特徴とする引き出しの構造である。
【発明の効果】
【０００５】
上記のように、本発明の骨壷の引き出し体は、組み立てが極めて便利で、スピーディーかつ収容物に対して安定である。さらに安定的に骨壷を引き出し体内に定位することができるため、骨壷は引き出し体内で揺動せず、傾倒或いは破損の恐れがない。
【発明を実施するための最良の形態】
【０００６】
先ず図３、４に示すように、引き出し体3、定位挿入ピン4、定位部品5を含む。
該引き出し体3の相互に隣り合った２枚の外周壁上には２個の鳩尾台30を突出形成し、別に相互に隣り合った２枚の周囲壁上には２個の鳩尾溝31を形成し、該引き出し体3の背面には穿孔32及び凸柱33を設ける。該引き出し体3の後端角上には相互に隣り合ってL型鳩尾溝状の嵌溝34を設け、該嵌溝34内には螺孔35を設ける。該引き出し体3内には収容室36を設け、該収容室36内壁にはクッション体37を設置する。
該定位挿入ピン4は相対する引き出し体3の後端部に挿設する。該定位挿入ピン4は工字型に成型し、その上方の４個の端部にはそれぞれ穿孔40を設け、該定位挿入ピン4の４個の端部の頂、底面にはすべて鳩尾台状の嵌体41を突出形成する。固接部品42は該定位挿入ピン4の穿孔40内に穿設する。
該２個の定位部品5は該引き出し体3の収容室36の２枚の内側壁面に接着、固定する。該定位部品5は、軟性材質(プラスチック発泡材質など)により成型し、該定位部品５は５本指が合わさった仏の温厚な手のひらのような形を呈する。該２個の定位部品5は相対するように設置し、該定位部品5の片側の厚みは手のひら型の前端から後端に向かって徐々に広くなる覆包サポート面50を呈し、該定位部品5の背面は平坦な密着面51を呈する。
組み立て時には、図３〜９に示すように、先ず該２個の引き出し体3を相互に対応させて結合し、これにより該引き出し体3外壁面上の鳩尾台30は、別の該引き出し体3外壁面の鳩尾溝31と相互に嵌合し、さらに該定位挿入ピン4を２個の引き出し体3の相対して接する後端部の嵌溝34内に挿設する。続いて、該定位挿入ピン4前端部底面の嵌体41を該引き出し体3の嵌溝34内に嵌合し、さらに該固接部品42を該定位挿入ピン4の穿孔40内に穿設し、該引き出し体3の螺孔35(図３、７参照) に螺合する。次に該定位挿入ピン4を該引き出し体3上に固定し、別の２個の引き出し体3を相対させて組合せた後、さらに背中合わせに上記の組み合わせ後の２個の引き出し体3背面に密着させる。これにより、該定位挿入ピン4後端部底面の嵌体41は背中合わせに密着する２個の引き出し体3の嵌溝34内に嵌合され、同様に該固接部品42が該定位挿入ピン4の穿孔40に穿設され、該引き出し体3の螺孔35内に螺合され、該定位挿入ピン4を該引き出し体3上に固定する。また、該相互に背中合わせとされた引き出し体3背面の凸柱33は相対して密着する別の引き出し体3の穿孔32内に嵌合される(図８参照)。
【０００７】
上述の組み立て構造により、該引き出し体3の上方には別の引き出し体3が結合され、各引き出し体3の後端部の相互にぴったりと接触する角部の位置はすべて該定位挿入ピン4により嵌合、固定される。該定位挿入ピン4は、同時に８個の引き出し体3上に嵌合して固定可能で、こうして、該定位挿入ピン4の嵌合構造により相互に対応して結合され、さらに背面が向かい合う引き出し体3は安定的かつ堅固に組み合わされて大面積の引き出しを形成することができ、組み立ては極めて便利で、スピーディーかつ安定な構造である。
別に２個の定位部品5の密着面51には接着剤を塗布し、該引き出し体3の両内側壁面上に接着する（図９参照）。こうして２個の相対する定位部品5内面は前端から後端に向かい徐々に広くなる覆包サポート面50を呈し、骨壷6両側を覆包サポートし、かつ該定位部品5により比較的厚い後端は該引き出し体3収容室36の開口位置の左右間距離を縮小するため、該骨壷6に対して固定作用を形成する。こうして該骨壷6は該引き出し体3内より動揺して取り出されることはなく、該骨壷6は安定的に定位される。
最後に該パネル7を該引き出し体3前面に蓋合し、地震に遭遇或いは衝撃を受けた時にも、該骨壷6は該引き出し体3収容室36内の定位部品5の安定的覆包サポートを受け、該骨壷6は該引き出し体3内に安定的に定位され揺動、傾倒或いは破損の恐れはない。極めて耐震性が高く安全効果を具え、故人の遺骨収納に対する厳粛、荘重な態度は、故人を敬い安らかな眠りを願う気持ちを表現するものである。
また、本発明の別種の実施例では図１０に示すように、該引き出し体3の収容室36内左右側壁には鳩尾台38を設けて、該定位部品5の密着面51上には鳩尾溝52を設置し、該引き出し体3の鳩尾台38と挿接するものである。
【図面の簡単な説明】
【０００８】
【図１】公知の収納用引き出しの立体図である。
【図２】公知の収納引き出しの立体図である。
【図３】本発明の立体分解後面図である。
【図４】本発明の立体分解前面図である。
【図５】本発明の立体組合図である。
【図６】本発明の組合後面図である。
【図７】本発明の組合断面部分拡大図である。
【図８】本発明の組合側面図である。
【図９】本発明において骨壷を引き出し体内に収納定位する状態の俯瞰図である。
【図１０】本発明の別種の実施例の立体分解図である。
【符号の説明】
【０００９】
1   引き出し体
10  板体
11  コの字型嵌クリップ
12  固接部品
２  収納引き出し
20  引き出し体
21  収納室
22  骨壷
23  パネル
3   引き出し体
30  鳩尾台
31  鳩尾溝
32  穿孔
33  凸柱
34  嵌溝
35  螺孔
36  収容室
37  クッション体
38  鳩尾台
4   定位挿入ピン
40  穿孔
41  嵌体
42  固接部品
５  定位部品
50  覆包サポート面
51  密着面
52  鳩尾溝
6   骨壷
7   パネル
【図１】
2007037865.tif 000003
【図２】
2007037865.tif 000004
【図３】
2007037865.tif 000005
【図４】
2007037865.tif 000006
【図５】
2007037865.tif 000007
【図６】
2007037865.tif 000008
【図７】
2007037865.tif 000009
【図８】
2007037865.tif 000010
【図９】
2007037865.tif 000011
【図１０】
2007037865.tif 000012